【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  対物レンズの予定結像面近傍で焦点検出領域に対応した位置に配置されたフィールドレンズと、該焦点検出領域からの光束を受け、前記対物レンズの焦点調節状態に応じて相対位置の変化する被写体像に関する複数の光量分布を形成するための、一対を単位とする再結像レンズと、該再結像レンズで形成した該光量分布を検出するための受光手段とを有する焦点検出装置において、該焦点検出領域は直交する第１、第２の焦点検出領域と、その第１の焦点検出領域に平行でかつ離れた場所に位置する第３の焦点検出領域を持ち、該フィールドレンズは、該第１、第２の焦点検出領域に対応した共通の第１のフィールドレンズ部と、第３の焦点検出領域に対応した第２のフィールドレンズ部を具備し、該再結像レンズは、該第１、第３の焦点検出領域からの光束を受ける第１の再結像レンズと、第２の焦点検出領域からの光束を受ける第２の再結像レンズとを有し、第１の再結像レンズは対物レンズ側に平面または弱い屈折力を有する曲面と、前記受光手段側に強い凸の屈折力の曲面を有し、該再結像レンズの対物レンズ側に絞りを有し、該受光手段は第１、第２、第３の焦点検出領域に各々対応した１対の受光素子列を有していることを特徴とする焦点検出装置。
【請求項２】前記第１の再結像レンズの前記受光手段側のレンズ面の曲率半径をｒ、前記絞りと該受光手段側のレンズ面との距離をｄとしたとき
０．５＜ｄ／ｒ＜０．９
なる関係を満足することを特徴とする特許請求項第１項記載の焦点検出装置。
【請求項３】前記第２のフィールドレンズ部の光軸が前記第１のフィールドレンズ部の光軸と異なることを特徴とする特許請求項第１項に記載の焦点検出装置。
【請求項４】前記第２のフィールドレンズ部の光軸が、前記第１のフィールドレンズ部の光軸に対して、前記第３の焦点検出領域の前記第１の焦点検出領域から離れる方向と逆側に設定されていることを特徴とする特許請求項第２項に記載の焦点検出装置。
【請求項５】前記第３の焦点検出領域の一方向が、前記第１の焦点検出領域の一方向に比して短いことを特徴とする特許請求項第１項記載の焦点検出装置。
【請求項６】前記第２の焦点検出領域に対応する前記一対の受光素子列の受光素子列間の間隔が、前記第１の焦点検出領域に対応する一対の受光素子列の受光素子列間の間隔よりも広いことを特徴とする特許請求項第１項記載の焦点検出装置。
【請求項７】対物レンズの予定結像面近傍で、焦点検出領域に対応した位置に配置されたフィールドレンズと、該焦点検出領域からの光束を受け前記対物レンズの焦点調節状態に応じて相対位置の変化する被写体像に関する複数の光量分布を形成するための、一対を単位とする再結像レンズと、該再結像レンズで形成した該光量分布を検出するための受光手段とを有する焦点検出装置において、該焦点検出領域は直交する第１、第２の焦点検出領域と、その第１の焦点検出領域に平行でかつ離れた場所に位置する第３の焦点検出領域を持ち、該フィールドレンズは、該対物レンズの予定結像面の近傍に第１、第２、第３の焦点検出領域に対応した共通の非球面を有するレンズを具備し、該再結像レンズは、第１、第３の焦点検出領域からの光束を共通に受ける第１の再結像レンズと、第２の焦点検出領域からの光束を受ける第２の再結像レンズとを有し、該第１の再結像レンズは対物レンズ側に平面または弱い屈折力を有する曲面と、前記受光手段側に強い凸の屈折力の曲面を有し、該再結像レンズの対物レンズ側に絞りを有し、該受光手段は第１、第２、第３の焦点検出領域に各々対応した一対受光素子列を有していることを特徴とする焦点検出装置。
【請求項８】前記第１の再結像レンズの、受光手段側のレンズ面の曲率半径をｒ、前記絞りと受光手段側のレンズ面との距離をｄとしたとき
０．５＜ｄ／ｒ＜０．９
なる関係を満足することを特徴とする特許請求項第７項記載の焦点検出装置。
【請求項９】前記第３の焦点検出領域の一方向が、前記第１の焦点検出領域の一方向に比して短いことを特徴とする特許請求項第７項記載の焦点検出装置。
【請求項１０】前記第２の焦点検出領域に対応する一対の受光素子列の受光素子列間の間隔が、前記第１の焦点検出領域に対応する一対の受光素子列の受光素子列間の間隔よりも広いことを特徴とする特許請求項第７項記載の焦点検出装置。
【請求項１１】前記非球面は周辺にいくに従って屈折力の弱くなる非球面であることを特徴とする特許請求項第７項に記載の焦点検出装置。
【請求項１２】前記非球面は母線と子線で曲率の異なる形状の非球面であることを特徴とする特許請求項第７項に記載の焦点検出装置。
【請求項１３】対物レンズと、該対物レンズの合焦状態を検出可能な請求項１〜１２の何れか１項記載の焦点検出装置とを有することを特徴とする光学機器。
【手続補正２】
【補正対象書類名】明細書
【補正対象項目名】００１０
【補正方法】変更
【補正の内容】
【００１０】
【課題を解決するための手段】
請求項１の発明の焦点検出装置は、対物レンズの予定結像面近傍で焦点検出領域に対応した位置に配置されたフィールドレンズと、該焦点検出領域からの光束を受け、前記対物レンズの焦点調節状態に応じて相対位置の変化する被写体像に関する複数の光量分布を形成するための、一対を単位とする再結像レンズと、該再結像レンズで形成した該光量分布を検出するための受光手段とを有する焦点検出装置において、該焦点検出領域は直交する第１、第２の焦点検出領域と、その第１の焦点検出領域に平行でかつ離れた場所に位置する第３の焦点検出領域を持ち、該フィールドレンズは、該第１、第２の焦点検出領域に対応した共通の第１のフィールドレンズ部と、第３の焦点検出領域に対応した第２のフィールドレンズ部を具備し、該再結像レンズは、該第１、第３の焦点検出領域からの光束を受ける第１の再結像レンズと、第２の焦点検出領域からの光束を受ける第２の再結像レンズとを有し、第１の再結像レンズは対物レンズ側に平面または弱い屈折力を有する曲面と、前記受光手段側に強い凸の屈折力の曲面を有し、該再結像レンズの対物レンズ側に絞りを有し、該受光手段は第１、第２、第３の焦点検出領域に各々対応した１対の受光素子列を有していることを特徴としている。
【手続補正３】
【補正対象書類名】明細書
【補正対象項目名】００１１
【補正方法】変更
【補正の内容】
【００１１】
請求項２の発明は、請求項１の発明において、前記第１の再結像レンズの前記受光手段側のレンズ面の曲率半径をｒ、前記絞りと該受光手段側のレンズ面との距離をｄとしたとき
０．５＜ｄ／ｒ＜０．９
なる関係を満足することを特徴としている。
【手続補正４】
【補正対象書類名】明細書
【補正対象項目名】００１２
【補正方法】変更
【補正の内容】
【００１２】
請求項３の発明は、請求項１の発明において、前記第２のフィールドレンズ部の光軸が前記第１のフィールドレンズ部の光軸と異なることを特徴としている。
【手続補正５】
【補正対象書類名】明細書
【補正対象項目名】００１３
【補正方法】変更
【補正の内容】
【００１３】
請求項４の発明は、請求項２の発明において、前記第２のフィールドレンズ部の光軸が、前記第１のフィールドレンズ部の光軸に対して、前記第３の焦点検出領域の前記第１の焦点検出領域から離れる方向と逆側に設定されていることを特徴としている。
【手続補正６】
【補正対象書類名】明細書
【補正対象項目名】００１４
【補正方法】変更
【補正の内容】
【００１４】
請求項５の発明は、請求項１の発明において、前記第３の焦点検出領域の一方向が、前記第１の焦点検出領域の一方向に比して短いことを特徴としている。
【手続補正７】
【補正対象書類名】明細書
【補正対象項目名】００１５
【補正方法】変更
【補正の内容】
【００１５】
請求項６の発明は、請求項１の発明において、前記第２の焦点検出領域に対応する前記一対の受光素子列の受光素子列間の間隔が、前記第１の焦点検出領域に対応する一対の受光素子列の受光素子列間の間隔よりも広いことを特徴としている。
【手続補正８】
【補正対象書類名】明細書
【補正対象項目名】００１６
【補正方法】変更
【補正の内容】
【００１６】
請求項７の発明の焦点検出装置は、対物レンズの予定結像面近傍で、焦点検出領域に対応した位置に配置されたフィールドレンズと、該焦点検出領域からの光束を受け前記対物レンズの焦点調節状態に応じて相対位置の変化する被写体像に関する複数の光量分布を形成するための、一対を単位とする再結像レンズと、該再結像レンズで形成した該光量分布を検出するための受光手段とを有する焦点検出装置において、該焦点検出領域は直交する第１、第２の焦点検出領域と、その第１の焦点検出領域に平行でかつ離れた場所に位置する第３の焦点検出領域を持ち、該フィールドレンズは、該対物レンズの予定結像面の近傍に第１、第２、第３の焦点検出領域に対応した共通の非球面を有するレンズを具備し、該再結像レンズは、第１、第３の焦点検出領域からの光束を共通に受ける第１の再結像レンズと、第２の焦点検出領域からの光束を受ける第２の再結像レンズとを有し、該第１の再結像レンズは対物レンズ側に平面または弱い屈折力を有する曲面と、前記受光手段側に強い凸の屈折力の曲面を有し、該再結像レンズの対物レンズ側に絞りを有し、該受光手段は第１、第２、第３の焦点検出領域に各々対応した一対受光素子列を有していることを特徴としている。
【手続補正９】
【補正対象書類名】明細書
【補正対象項目名】００１７
【補正方法】変更
【補正の内容】
【００１７】
請求項８の発明は、請求項７の発明において、前記第１の再結像レンズの、受光手段側のレンズ面の曲率半径をｒ、前記絞りと受光手段側のレンズ面との距離をｄとしたとき
０．５＜ｄ／ｒ＜０．９
なる関係を満足することを特徴としている。
【手続補正１０】
【補正対象書類名】明細書
【補正対象項目名】００１８
【補正方法】変更
【補正の内容】
【００１８】
請求項９の発明は、請求項７の発明において、前記第３の焦点検出領域の一方向が、前記第１の焦点検出領域の一方向に比して短いことを特徴としている。
【手続補正１１】
【補正対象書類名】明細書
【補正対象項目名】００１９
【補正方法】変更
【補正の内容】
【００１９】
請求項１０の発明は、請求項７の発明において、前記第２の焦点検出領域に対応する一対の受光素子列の受光素子列間の間隔が、前記第１の焦点検出領域に対応する一対の受光素子列の受光素子列間の間隔よりも広いことを特徴としている。
【手続補正１２】
【補正対象書類名】明細書
【補正対象項目名】００２０
【補正方法】変更
【補正の内容】
【００２０】
請求項１１の発明は、請求項７の発明において、前記非球面は周辺にいくに従って屈折力の弱くなる非球面であることを特徴としている。
【手続補正１３】
【補正対象書類名】明細書
【補正対象項目名】００２１
【補正方法】変更
【補正の内容】
【００２１】
請求項１２の発明は、請求項７の発明において、前記非球面は母線と子線で曲率の異なる形状の非球面であることを特徴としている。
【手続補正１４】
【補正対象書類名】明細書
【補正対象項目名】００２２
【補正方法】変更
【補正の内容】
【００２２】
請求項１３の発明の光学機器は、対物レンズと、該対物レンズの合焦状態を検出可能な請求項１〜１２の何れか１項記載の焦点検出装置とを有することを特徴としている。